(57)【要約】      （修正有）【課題】可搬的で任意場所に設置可能であり、主にデスクワークの際のデスクや地面方向の照射に適し、ソーラーパネルへの集光性を向上させた照明装置を提供する。【解決手段】ソーラーパネル１と、ソーラーパネル１によって得られる電気で点灯するＬＥＤ２と、ソーラーパネル１とＬＥＤ２が収容される筐体６と、光を反射する反射面１１を備える集光部７とを有する。集光部７は、筐体６の外部において、開口が上向きとなるようにして、反射面１１が筐体６の周囲を取り囲むように配置される。【選択図】図１
0003189443.tif 000002
【実用新案登録請求の範囲】
【請求項１】
ソーラーパネルと、前記ソーラーパネルによって得られる電気で点灯するＬＥＤと、前記ソーラーパネルと前記ＬＥＤが収容される筐体と、光を反射する反射面を備える集光部と、を有し、前記集光部は、前記筐体の外部において、開口が上向きとなるようにして、前記反射面が前記筐体の周囲を取り囲むように配置されることを特徴とする照明装置。
【請求項２】
ソーラーパネルと、前記ソーラーパネルによって得られる電気で点灯するＬＥＤと、前記ソーラーパネルと前記ＬＥＤが収容される筐体と、光を反射する反射面を備える集光部と、を有し、前記ＬＥＤは、前記筐体内において、前記ソーラーパネルよりも下側であり、前記ソーラーパネルの反対方向に向かって光を出射するように配置され、前記集光部は、前記筐体の外部において、前記ＬＥＤよりも上部の位置に開口が上向きとなるようにして、前記反射面が前記筐体の周囲を取り囲むように配置され、前記ソーラーパネルへ向かって光を反射するように配置されることを特徴とする照明装置。
【請求項３】
前記集光部を、開口が下向きとなるように可動することで、前記集光部が前記ＬＥＤの周囲を取り囲むように配置され、前記集光部がランプシェードとして使用できることを特徴とする。請求項１又は２に記載の照明装置。
【請求項４】
前記集光部は、前記筐体から着脱可能であることを特徴とする請求項１又は２に記載の照明装置。  
【考案の詳細な説明】
【技術分野】
【０００１】
本考案は、特に、ＬＥＤ（Ｌｉｇｈｔ
Ｅｍｉｔｔｉｎｇ Ｄｉｏｄｅ：発光ダイオード）とソーラーパネルを組み合わせた照明装置に関する。
【背景技術】
【０００２】
近年、白色ＬＥＤを光源に用いた防犯灯や街路灯、庭園灯等の照明装置が開発されており、ＬＥＤの活用分野は拡大しつつある。ＬＥＤを点灯するためには、ＬＥＤに電気を流すための電源が必要である。そのため、主に屋外でＬＥＤを点灯させる場合には、可搬可能な電源が用いられる。特にソーラーパネルを用いることで、太陽の出ている時間帯には、ソーラーパネルにより蓄電池に電気を蓄えて、太陽が沈んで暗くなった時間帯に、蓄電池に蓄えられた電気を放出することで、ＬＥＤを点灯させる等の照明装置が開発されている。例えば実用新案登録文献１においては、ＬＥＤとソーラーパネルを使用した任意場所に設置可能な照明装置が提案されている。
【先行技術文献】
【特許文献】
【０００３】
【特許文献１】実用新案登録第３１７２８１９号公報
【考案の概要】
【考案が解決しようとする課題】
【０００４】
しかし、先行技術文献に係る照明装置では、単にソーラーパネルを筐体内に上向きに配置しただけである。そのため、ソーラーパネルへの日光の集光が不十分であった。特に日照時間が短い場合や、曇りがかった日においては、ソーラーパネルへの集光が不十分となりやすい。そのため、蓄電池に十分な電気を蓄えられないという問題があった。
【０００５】
また、先行技術文献に係る照明装置は、ソーラーパネルと同じ向き（図中において上向き）にＬＥＤが配置されている。そのため、ＬＥＤから出射される光は当然に上向きとなる。そのため、地面方向を照らしたい場合においては、ＬＥＤからの出射を地面方向となるように、当該照明装置の上下方向を反対にして設置する必要がある。そのため、ソーラーパネルにより充電する際と、当該照明装置の使用時に地面方向を照らす際では、いちいち当該照明装置の向きを反転させなければならないという煩わしさがあった。
【０００６】
本考案は、上述した従来技術の問題点を解消し、主にデスクワークの際のデスクや地面方向の照射に適し、ソーラーパネルへの集光性を向上させた照明装置を提供することを目的とする。
【課題を解決するための手段】
【０００７】
上記の課題を解決するために、本考案は、以下に掲げる構成とした。ソーラーパネルと、前記ソーラーパネルによって得られる電気で点灯するＬＥＤと、前記ソーラーパネルと前記ＬＥＤが収容される筐体と、光を反射する反射面を備える集光部とを有し、前記集光部は、前記筐体の外部において、開口が上向きとなるようにして、前記反射面が前記筐体の周囲を取り囲むように配置されることを特徴とする。
【考案の効果】
【０００８】
本考案に係る照明装置は、容易に持ち運ぶことが可能であり、任意の場所に設置可能な照明装置として便利である。また、ソーラーエネルギーを使用するため、環境に配慮された照明装置として実用性が高い。そして、主にデスクワークの際のデスクや地面方向の照射に適し、ソーラーパネルへの集光性を向上させた照明装置である。
【図面の簡単な説明】
【０００９】
【図１】本考案による照明装置の構成例を示す図である。
【図２】本考案による照明装置の使用状態を示す図である。
【図３】本考案による照明装置の変形例の構成例を示す図である。
【図４】本考案による照明装置の他の変形例の構成例を示す図である。
【図５】本考案による照明装置の他の変形例の構成例を示す断面図である。
【図６】本考案による照明装置の他の変形例の構成例を示す断面図である。
【考案を実施するための形態】
【００１０】
以下、本考案の実施の形態について、詳細に説明する。但し、図面は模式的なものであり、寸法関係の比率等は現実のものとは異なる。  
【００１１】
以下、図面を参照して本考案に係る照明装置の構成を説明する。図１は、本考案に係る照明装置２０の構成例を示す図である。
本考案に係る照明装置２０は、主に照明部１５と集光部７とからなる。まず、照明部１５について説明する。照明部１５は、以下の構成を備えるものである。図１中の符号１は、ソーラーパネル（太陽電池）である。主に太陽からの光エネルギーを使い、光起電力効果を応用して電気を発生させる。符号２はＬＥＤであり、電気により光を発する。符号３は基板であり、図示は省略するが、基板３上にはＬＥＤ２を点灯させるための点灯回路及び蓄電池の充放電を制御する充放電制御回路を搭載している。符号４は蓄電池であり、ソーラーパネル１で変換された電気を蓄える。符号５は配線であり、主に基板３上に搭載される充放電制御回路と蓄電池４とを、基板３とソーラーパネル１とを接続している。符号６はこれらの部品を収容する筐体であり、透光性を有する。なお、筐体６の材質などは特に限定されないが、例えばペットボトル等の身近なものを使用することができる。
【００１２】
ソーラーパネル１は筐体６内の中央付近若しくは中央よりもやや上方に配置される。ソーラーパネル１の下側には基板３が配置される。そして、基板３には、図１における下方向に光を出射するようにＬＥＤ２が配置される。ソーラーパネル１と基板３の間には、蓄電池４が配置される。仮にソーラーパネル１上に蓄電池４を配置すると、ソーラーパネルへ届くはずの光を阻害してしまう。一方、基板３の下側（ＬＥＤ２が配置される側）に蓄電池４を配置すると、ＬＥＤ２からの出射光を阻害してしまう。そのため、蓄電池４は、ソーラーパネル１と基板３との間に配置することが好ましい。そして、ソーラーパネル１と基板３とＬＥＤ２と蓄電池４はそれぞれが電気的に接続される。
【００１３】
スイッチ１６は、基板３上の充放電制御回路に接続される。スイッチ１６をオンした時、蓄電池からの放電が開始され、ＬＥＤ２は光を出射する。
また、筐体６の頂きには照明部１５を吊り下げ可能とするために吊り下げ具１８が設けられている。
【００１４】
次に、集光部７について説明する。集光部７の形状は特に限定はされないが、図１においては椀状に形成している。集光部７の開口部を形成する外縁部８、外縁部８の内径よりも小さい内縁部９及び支持部１０により、集光部７を椀状の形態に保持するための骨組みが形成される。そして、当該骨組みに、反射面１１を取り付ける。反射面１１は、第1の反射面１１ａとその裏面に形成される第２の反射面１１ｂを備える。反射面１１は、例えばメタリックコートを施した軟質ビニールシートを図１に示すような椀状にして当該骨組みに取付けることで形成することができる。外縁部８、内縁部９及び支持部１０は、例えばグラスファイバーやカーボンファイバー等の弾性を有する材質のものが好ましい。外縁部８と内縁部９との間に支持部１０を弓なり状に配置することで、その反発力により、集光部７を椀状の形態を保つことができる。なお、内縁部９の内径は、筐体６の外径と略同一の大きさとしている。
【００１５】
この集光部７を、その反射面１１が筐体６の周囲を取り囲むように照明部１５の筐体６に固定することで、本考案に係る照明装置２０は完成する。集光部７を照明部１５に取付ける際は、外縁部８を上側とし、内縁部９を下側の状態にして照明部１５に取付ける（以降、外縁部８が内縁部９よりも上側の状態を集光部７が上向きとし、外縁部８が内縁部９よりも下側の状態を集光部７が下向きという）。集光部７は、外縁部８が形成する開口部から日光を取り入れ、内縁部９の内側の領域に向かって集光する。図１において、集光部７は、照明装置２０に対し、上向きに開口した椀状の形態として取付けられている。なお、集光部７の内縁部９の位置を、照明部１５を構成するソーラーパネル１の位置と合わせることが好ましい。こうすることで、図１の太線矢印で示したように、日光は反射面１１ａによりソーラーパネル１方向に反射され、よりソーラーパネル１へ光を集めることができる。  なお、反射面１１は、実際には透明ではないが、図１においては、照明部１５の構造を分かりやすくするために、反射面１１を透視して照明部１５の構造が見えるようにしている。
【００１６】
図２は、本考案に係る照明装置２０の使用状態を示す図であって、斜め下から見た図である。特徴的なのは、集光部７の向きである。図１においては、日光をソーラーパネル１方向へ集めるために、集光部７を照明部１５に対し上向きとした。  ところが、図２における照明装置２０の使用状態においては、集光部７の上下方向の向きが、図1と反対になっている。すなわち、集光部７が下向きの状態である。このような構成とすることで、集光部７の開口が下向きとなるため、集光部７は、ＬＥＤ２から出射された光を反射して照明装置２０の外部に出射するランプシェード若しくはガイドの役割を果たす。この構造により、図２中の太線矢印で示したように、ＬＥＤ２の横方向から出射された光は、集光部７の第２の反射面１１ｂに反射し、ＬＥＤ２に対する下方向に出射されるため、照明装置２０の下側の領域を、より明るく照らすことが可能となる。
【００１７】
なお、集光部７の外縁部８を下側に向ける際は、筐体６に固定されている内縁部９を支点として、反射面１１を裏返すように、外縁部８を下向きにする。この動作を可能とするため、外縁部８及び支持部１０は、グラスファイバーやカーボンファイバー等の弾性を有する材質を用いることが好ましい。支持部１０の反発力を利用して、集光部７は椀を伏せたような形態を保持する。
【００１８】
（変形例）  次に、本考案に係る照明装置の変形例について説明する。本考案に係る照明装置の変形例を図３に示す。図１の照明装置２０と異なる点は、集光部７を照明部１５に対し、着脱可能とした点である。図３は、集光部７を照明部１５から外した状態の図である。集光部７の照明部１５への取り付けは、例えば、筐体６の外径の一部に凹み部１７を設けることで、この凹み部１７に集光部７の内縁部９が嵌るようにすることで、集光部７を筐体６に取付けることができる。
【００１９】
また、他の変形例として、図４に示すように、筐体６の外径を取り囲むようにホルダ１９を設けることもできる。このホルダ１９上に、集光部７の内縁部９を載せることで、集光部７を照明部１５に取付けることができる。図５は、集光部７をホルダ１９上に保持した場合の図面で、図４のＡ−Ａ方向の断面図である。ホルダ１９は、筐体６の外周において、ソーラーパネル１とほぼ同じ位置に取付けられる。そのホルダ１９上に、集光部７の開口が上向きとなるように内縁部９を載せている。このような構成により、日光は反射面１１ａによりソーラーパネル１方向に反射され、よりソーラーパネル１へ光を集めることができる。すなわち、図1に記載した照明装置と同等の効果を有する。また図６は、集光部７をその開口部が下向きとなるようにホルダ１９に取付けた場合の断面図（図４のＡ−Ａ方向）である。図中の太線矢印で示したように、ＬＥＤ２の横方向から出射された光は、集光部７の第１の反射面１１ａに反射し、ＬＥＤ２に対する下方向に出射されるため、照明装置２０の下側の領域を、より明るく照らすことが可能となる。なお、図４、図５、図６の図面は、簡略化して蓄電池４や配線５等は省略しているが、その他の構造は図1に係る照明装置の構造と同じである。
【００２０】
このように、集光部７を照明部１５に対し着脱可能とすることで、蓄電池４の充電の際は、ソーラーパネル１へ光を集めるために集光部７を照明部１５に対し上向きに配置する。そして、スイッチ１６をオンし、ＬＥＤ２から光を出射する際は、一旦、集光部７を筐体６から取り外し、照明部１５に対し集光部７が下向きとなるように配置すると、図２に示した使用状態と同様に、集光部７はＬＥＤ２から出射された光を反射して照明装置２０の外部に出射するランプシェード若しくはガイドの役割を果たす。  この場合の利点としては、図２の構造おいて説明したような反射面１１を裏返す必要が無いため、反射面として機能させる面は、集光部７の内側の面のみでよい。すなわち、第１の反射面１１ａのみメタルコートすれば良く、第１の反射面１１ａとその裏面である第２の反射面１１ｂの両面にメタルコートを施した図１に示す照明装置よりもコスト削減が可能となる。
【符号の説明】
【００２１】
１、ソーラーパネル２、ＬＥＤ３、基板４、蓄電池５、配線６、筐体７、集光部８、外縁部９、内縁部１０、支持部１１、反射面１１ａ、第１の反射面１１ｂ、第２の反射面１５、照明部１６、スイッチ１７、凹み部１８、吊り下げ部１９、ホルダ２０照明装置 
【図１】
0003189443.tif 000003
【図２】
0003189443.tif 000004
【図３】
0003189443.tif 000005
【図４】
0003189443.tif 000006
【図５】
0003189443.tif 000007
【図６】
0003189443.tif 000008